(57)【特許請求の範囲】
【請求項１】
ＤＶＤ−ＶＲ（Video Recording）規格による映像信号をＤＶＤ−Ｖ（Video）規格による映像信号に変換する映像信号変換方法であって、
ＤＶＤ−ＶＲ規格による第１映像信号とその管理情報とを受け、前記管理情報に含まれる再生プログラム情報に対応させて、前記第１映像信号中の変換すべき映像信号単位を決定する決定工程と、
前記決定工程が決定した前記変換すべき複数の映像信号単位についてこれらの順序を決定し前記第１映像信号から抽出する抽出工程と、
前記抽出工程により抽出された前記複数の映像信号単位について、前記ＤＶＤ−ＶＲ規格の映像信号からＤＶＤ−Ｖ規格の第２映像信号へとそれぞれ変換し前記順序に応じてこれらを出力する工程であって、前記再生プログラム情報に対応させて変換後の第２映像信号を再生する際に、前記第２映像信号の複数の映像信号単位のうちのどれかを複数回読み出すこととなる場合、複数回読み出される映像信号単位であっても、他の映像信号単位と同様に一つの映像信号単位だけを前記第２映像信号に含ませ、これを複数回読み出して再生する変換工程と、
を具備することを特徴とする映像信号変換方法。
【請求項２】
前記変換工程により変換された前記第２映像信号が含む前記複数の映像信号単位を、前記第１映像信号が含む前記複数の映像信号単位の順番で、情報記憶媒体に記録することを特徴とする請求項１記載の映像信号変換方法。
【発明の詳細な説明】
【０００１】
【発明の属する技術分野】
この発明は、ＤＶＤ−Ｖ（Video）規格（以下、Ｖ規格と記す）のオサーリング技術に関するもので、特にＰＧＣ（Program Chain）をターゲットにして、ＤＶＤ−ＶＲ（Video Recording）規格（以下、ＶＲ規格と記す）をＶ規格に変換する映像信号変換方法に関するものである。
【０００２】
【従来の技術】
最近、ＤＶＤ（Ｄｉｇｉｔａｌ  Ｖｅｒｓａｔｉｌｅ  Ｄｉｓｋ）等の普及に伴い、ディスクに記録された映像の記録や編集、再生が繰り返し様々な規格で行われている。例えば、ＤＶＤ記録再生装置で記録される場合は、ＶＲ規格で記録されることとなり、又、通常のＤＶＤ再生装置では、Ｖ規格で記録された映像信号がＤＶＤプレイヤ等で再生されている。
【０００３】
しかし、ＤＶＤ記録再生装置で、ＶＲ規格により記録された映像信号は、このままでは、通常のＤＶＤプレイヤでは再生することができない。従って、例えば個人がＶＲ規格で記録した結婚式の映像等を各家庭のＤＶＤプレイヤで再生したいとなると、Ｖ規格で記録された映像信号へ変換しなければならないが、この変換処理を詳細に示した従来技術は知られていない。
【０００４】
又更に、ＶＲ規格では、１つの記録データは、物理的データ（ＶＯＢ（Ｖｉｄｅｏ  Ｏｂｊｅｃｔ））とＶＯＢとをどの様に再生するかを管理する再生プログラム情報（ＰＧＣ（Ｐｒｏｇｒａｍ  Ｃｈａｉｎ）＝ＰｌａｙＬｉｓｔ）が存在する。１つのＶＯＢは、Ｏｒｉｇｉｎａｌ  ＰＧＣと呼ばれる再生プログラム上のＰＧという単位で管理される。複数回の記録により、ＰＧの数およびＶＯＢの数が増えることになる。また、編集された再生プログラムは、ＰｌａｙＬｉｓｔ（＝Ｕｓｅｒ  ＤｅｆｉｎｅｄＰＧＣ）として管理され、複数作成することができる。ＰｌａｙＬｉｓｔは、Ｏｒｉｇｉｎａｌ  ＰＧＣが管理するＶＯＢの再生区間を指し示すポインタリスト的管理データとして位置付けられる。また、ＶＲ規格にはＶＯＢ内のＶＯＢＵ（ＭＰＥＧ２のＧＯＰに相当し音声を含む約０．５秒の再生データ）単位で１つのＲＤＩ＿ＰＣＫと呼ばれる情報が存在する。ただし、ＲＤＩ＿ＰＣＫは存在しない場合もある。
【０００５】
なお、本明細書の記載において、ＲＤＩ＿ＰＣＫ（Ｒｅａｌ−ｔｉｍｅ  Ｄａｔａ  Ｉｎｆｏｒｍａｔｉｏｎ  ｐａｃｋ）とは、ＶＲ規格で定義されるＶＯＢＵ単位で先頭に１つ記録されるもので、ＶＯＢＵ内のデータのアスペクトなどを記録した情報である。アスペクトとはワイドテレビ用（１６：９サイズ）の信号なのかノーマル画面（４：３サイズ）の信号なのかを区別する情報である。
【０００６】
又、ＰＧＣ（Ｐｒｏｇｒａｍ  Ｃｈａｉｎ）とは、Ｖ規格、ＶＲ規格共通の再生順序を管理する単位であり、Ｕｓｅｒ−Ｄｅｆｉｎｅｄ−ＰＧＣ（Ｕｓｅｒ−Ｄｅｆｉｎｅｄ  Ｐｒｏｇｒａｍ  Ｃｈａｉｎ）とは、ＶＲ規格のＰＧＣであって、ユーザが編集した名場面集やＣＭカット後の再生順序を管理する単位である。
【０００７】
又、ＰｌａｙＬｉｓｔとは、Ｕｓｅｒ−Ｄｅｆｉｎｅｄ−ＰＧＣと同じ意味である。
【０００８】
又、ＶＯＢ（Ｖｉｄｅｏ  Ｏｂｊｅｃｔ）とは、Ｖ規格、ＶＲ規格共通の単位であり、映像と音声および副映像を記録したストリームデータの塊を意味する。ストリームデータの最小単位がＶＯＢＵである。
【０００９】
又、ＶＯＢＵ（Ｖｉｄｅｏ  Ｏｂｊｅｃｔ  Ｕｎｉｔ）とは、Ｖ規格、ＶＲ規格共通の単位であり、ＶＯＢを構成する最小単位である。通常約０．５秒分のデータを意味する。規格上の差分は、Ｖｉｄｅｏ規格ではＶＯＢＵの先頭にＮＶ＿ＰＣＫ（バイト）が記録されているが、Ｒｅｃｏｒｄｉｎｇ規格ではＶＯＢＵの先頭にＲＤＩ＿ＰＣＫ（２０４８バイト）が記録されている。
【００１０】
又、ＮＶ＿ＰＣＫ（Ｎａｖｉｇａｔｉｏｎ  ｐａｃｋ）とは、Ｖ規格で定義されるＶＯＢＵ単位で先頭に１つ記録されるもので、前後のＶＯＢＵの位置関係などを管理するデータである。
【００１１】
ＣＥＬＬは、Ｖ規格、ＶＲ規格共通の単位であり、ＰＧＣを構成する要素となる情報であり、ＶＯＢ上の再生地点をアドレス参照するポインタ的情報である。
【００１２】
ＧＯＰ（Ｇｒｏｕｐ  Ｏｆ  Ｐｉｃｔｕｒｅ）は、ビデオストリームの圧縮規格（ＭＰＥＧ２）上の単位である。
【００１３】
ＩＦＯは、Ｖ規格、ＶＲ規格共通の再生管理情報を格納するファイル種別である。
【００１４】
更に、ＢＵＰは、Ｖ規格、ＶＲ規格共通の再生管理情報のバックアップを格納するファイル種別である。
【００１５】
又、ＵＤＦ−Ｂｒｉｄｇｅ（Ｕｎｉｖｅｒｓａｌ  Ｄｉｓｃ  Ｆｏｒｍａｔ−Ｂｒｉｄｇｅ）は、世界標準規格（ＩＳＯ−９６６０の規格に準拠する）のファイルシステムであり、ファイルのディスク上の物理アドレス等を管理する部分である。
【００１６】
又、Ａｎｃｏｈｏｒは、ＵＤＦ−Ｂｒｉｄｇｅが管理する記録データの末尾の印を意味している。
【００１７】
又、ＶＲ規格では、Ｖ規格への変換を想定していないため、記録中にＶｉｄｅｏのＡｓｐｅｃｔが変化したり、Ａｕｄｉｏのチャンネル数が変化したりすることがある。ＤＶＤレコーダにてＶ規格への変換を想定して記録した場合、これらの属性の変化を１記録単位（ＰＧ）で固定とすることは可能と思われる。
【００１８】
Ｖ規格でもＶＲ規格と同様に、物理的データ（ＶＯＢ）と、ＶＯＢをどの様に再生するかを管理する論理的データ（ＰＧＣ）が存在する。Ｖ規格ではＰＧＣをＰｌａｙＬｉｓｔとは呼ばない。ＶＲ規格とＶ規格との違いは、Ｖ規格には、複数のＰＧＣを管理するＴｉｔｌｅという単位や、同一のエンコード属性を持つＶＯＢを取りまとめるＶＴＳ（Ｖｉｄｅｏ  Ｔｉｔｌｅ  Ｓｅｔ）という単位が存在する点である。また、Ｖ規格にはＶＯＢ内のＶＯＢＵ（ＭＰＥＧ２のＧＯＰに相当し音声を含む約０．５秒の再生データ）単位で１つのＮＶ＿ＰＣＫと呼ばれる情報が存在する。なお、ＶＴＳとは、Ｖ規格の同一のエンコード属性を持つＶＯＢを取りまとめる単位である。
【００１９】
変換システムには、物理的データ（ＶＯＢ）の変換と論理的データ（ＰＧＣ）の作成が必要な機能となる。物理的データ（ＶＯＢ）の変換では、ＶＯＢ中のＲＤＩ＿ＰＣＫをＮＶ＿ＰＣＫに変換する必要がある。論理的データの作成では、ＶＭＧＩ，ＶＴＳＩといったＶ規格上の管理情報テーブルを規格に沿った形で作成する必要がある。
【００２０】
変換単位をＶＯＢとし、論理的データ作成機能において１ＶＯＢ＝１ＣＥＬＬ＝１ＰＧ＝１ＰＴＴ＝１ＰＧＣ＝１Ｔｉｔｌｅ＝１ＶＴＳと解釈すれば、その計算方法はかなり単純化できる。
【００２１】
【発明が解決しようとする課題】
しかしながら、上記の映像信号変換方法（変換単位をＶＯＢとし１ＶＯＢ＝１ＣＥＬＬ＝１ＰＧ＝１ＰＴＴ＝１ＰＧＣ＝１Ｔｉｔｌｅ＝１ＶＴＳと解釈）では、ＶＲ規格およびＶ規格内の再生プログラミング機能（ＰＧＣ）が全く活かされず、ユーザにとって、映像信号を編集する際に非常にわかりずらい処理方法であるという問題がある。
【００２２】
本発明は上記の問題を解決すべく、ＶＲ規格の映像信号をＶ規格の映像信号に変換する際に、再生プログラム情報（Original ＰＧＣまたはUser Defined ＰＧＣ）を変換単位とすることで、ユーザにとって規格の差異を感じさせずに変換することができる映像信号変換方法を提供することを目的とする。
【００２３】
【課題を解決するための手段】
本発明は上記目的を解決するべく、ＶＲ規格による映像信号をＶ規格による映像信号に変換する映像信号変換方法であって、ＶＲ規格による第１映像信号とその管理情報とを受け、前記管理情報に含まれる再生プログラム情報に対応させて、前記第１映像信号中の変換すべき映像信号単位を決定する決定工程と、前記決定工程が決定した前記変換すべき複数の映像信号単位についてこれらの順序を決定し前記第１映像信号から抽出する抽出工程と、前記抽出工程により抽出された前記複数の映像信号単位について、前記ＶＲ規格の映像信号からＶ規格の第２映像信号へとそれぞれ変換し前記順序に応じてこれらを出力する工程であって、前記再生プログラム情報に対応させて変換後の第２映像信号を再生する際に、前記第２映像信号の複数の映像信号単位のうちのどれかを複数回読み出すこととなる場合、複数回読み出される映像信号単位であっても、他の映像信号単位と同様に一つの映像信号単位だけを前記第２映像信号に含ませ、これを複数回読み出して再生する変換工程とを具備することを特徴とする映像信号変換方法である。
【００２４】
本発明は上記した方法により、再生を行う際の単位となるPlayList又はＰＧＣ（＝Program Chain）をターゲットとしてユーザからの指示を受けることにより、ユーザにとって非常にわかりやすく、変換対象となる映像を指定することが可能となる。これにより、例えば、名場面集やＣＭカットなどの編集結果ごとに、変換指示を与えることが可能となるため、理解しやすい操作によって、記録したＶＲ規格の映像信号を一般のＤＶＤプレイヤにて再生することが可能な、Ｖ規格の映像信号へと変換することが可能となる。また、変換後の第２映像信号について、複数回使用される映像信号単位であっても一つだけを第２映像信号に含ませ、これを複数回読み出して再生するようにしたので、第２映像信号をを記録する記録媒体の記憶領域を少なくすることができる。
【００２７】
【発明の実施の形態】
以下、図面を参照して本発明の実施形態である映像信号変換方法とこの方法を用いる編集装置を詳細に説明する。
【００２８】
＜第１の実施形態＞
第１の実施形態は、再生プログラム情報を単位として、変換すべき映像信号を指定することで、ＶＲ規格の映像信号をＶ規格の映像信号に変換する映像信号変換方法を提供するものである。図１は本発明に係る映像信号変換方法が実施される編集装置システムの一例を示すブロック図、図２は映像信号変換方法の第１の実施形態を示す説明図、図４は本発明に係る映像信号変換方法の手順を説明するためのフローチャートである。
【００２９】
これらの図において、図１に示す変換機能を備えた編集装置システムＡは、ＶＲ規格のディスクを読み取ることができるＤＶＤ−ＲＡＭドライブ又はＨＤＤドライブ１１、システム本体１２とこれに接続されたモニタ１３、ＶＲ規格からＶ規格へと変換を行う変換ソフトウエア１４、これに接続されるインタフェース１５、更に、ウィンドウズ（登録商標）等のＯＳのデバイスドライブ、又はＤＶＤ−レコーダ等のハードウェアシステム上のデバイスドライブ１６、更に、ＤＶＤ−Ｒドライブ１７とを有している。又、本機能が使用するＭＰＵのメインメモリとしては、一例として数１０ＭＢ程度を用意するのが好適である。
【００３０】
第１の実施形態は、ＶＲ規格上のＰＧＣ（Ｐｒｏｇｒａｍ  Ｃｈａｉｎ）内の情報からＶＯＢ（Ｖｉｄｅｏ  Ｏｂｊｅｃｔ）中の必要な部分（アドレス、サイズ）を割り出し、変換コピーを行うことである。この方法では、変換に要する膨大な計算や、システム上必要となるメモリを削減することができる。
【００３１】
図２において、ＰｌａｙＬｉｓｔで示されるＰＧＣ＃３やＰＧＣ＃５によるＶＲ規格の映像信号ＳＴＶＲは、変換されて、Ｖ規格の映像信号ＳＴＶ１となる。
【００３２】
この変換方法は、ＶＲ規格上のＰＧＣ内の情報からＶＯＢ中の必要な部分（アドレス、サイズ）を割り出し、変換コピーを行うことで、変換に要する膨大な計算や、システム上必要となるメモリを削減することができる。変換元ＰＧＣがＶＯＢ内の同一シーンを複数回参照する場合は、重複部分を複数回出力することで、物理的ストリームデータ（ＶＯＢ）と論理的再生管理情報（ＰＧＣ）との整合性を保つことができる。
【００３３】
これにより、ＶＲ規格で記録したデータは、編集操作によりユーザの意図した再生プログラミングを行うことができる。このようなＶＲ規格のＰＧＣをＶ規格のＰＧＣと解釈し変換を行ことで、ユーザにとって分かりやすい変換方法を可能とする。すなわち、再生プログラムを変換単位とすることで、ユーザにとって規格の差異を感じさせずに変換することが可能となるものである。
【００３４】
＜第２の実施形態＞
第２の実施形態は、第１実施形態と同様に、再生プログラム情報を単位として、変換すべき映像信号を指定することで、ＶＲ規格の映像信号をＶ規格の映像信号に変換する映像信号変換方法を提供するものであるが、この際に、変換後の映像信号のＶＯＢについて、複数回使用されるものは、複数回、記録媒体等に記録するのではなく、１度だけ記録しこれをその都度読み出すという方法を取るものである。図３は、本発明に係る映像信号変換方法の第２の実施形態を示す説明図である。
【００３５】
これにより、第１実施形態では、複数回変換出力されていた重複部分は、１回しか記録されることがないので、第２実施形態によれば、例えば光ディスクに格納される場合、記憶領域はそれだけ少なく使用することになる。図３の映像信号ＳＴＶ２は、図２の映像信号ＳＴＶ１と比較することで、重複部分のないＶＯＢによる信号構成となっていることがわかる。
【００３６】
従って、第２実施形態では、ＶＲ規格上で複数回参照（再生プログラミング）されているＶＯＢを、Ｖ規格上では同一ＶＴＳ内に納めることで、共通ＶＯＢＵの記録回数を１回で済ませることができるため、ディスクスペースを有効活用することが可能になる。
【００３７】
更に、ＶＲ規格上連続記録（録画）されたストリームはシームレス再生が可能である。編集後のＰＧＣを再生した場合も、再生指定区域が連続であればシームレス再生が可能である。すなわち、重複参照（再生）されるＶＯＢＵの記録順序を変換前の記録順序と同じにすることにより、変換後のシームレス再生を可能とするものである。
【００３８】
＜フローチャートを用いた詳細な説明＞
次に、上述した本発明に係る映像信号変換方法について、図４のフローチャートを用いて以下に詳細に説明する。
【００３９】
本発明に係る映像信号変換方法において、システム起動時に、初期処理が行われ、ＶＲ規格のＩＦＯファイルから変換ターゲットとなるOriginal ＰＧＣのＰＧおよびPlayListの一覧をメモリ上に読み込み（Ｓ１１）、ユーザインターフェースを通じてユーザに一覧（Ｓ１５）を表示する。次にユーザから変換ターゲットの選択と変換の実施命令を受け取り（Ｓ１２）、変換処理が開始される。
【００４０】
上述した第１実施形態では、ＶＯＢＵの共有化は行わず、第２実施形態では共有化を行うという相違点があるが、その他の処理は共通した処理が行われる。最初に行われる変換処理は、第２実施形態であれば、変換ターゲットが参照するＶＯＢの共有部分の抽出である（Ｓ１３）。共有部分を持つ変換ターゲットを１ＶＴＳ内に納めるＰＧＣとして、ＶＴＳ単位の変換テーブルを作成する（Ｓ１６）。変換テーブルには、ＶＴＳに出力するＶＯＢの範囲と変換ＶＯＢを参照する変換ターゲットをリンクする情報を用意する。テーブルが作成できたら、出力処理を行い（Ｓ１４）、ここでは、Ｖ規格に沿ってＶＴＳのＩＦＯの作成、ＶＯＢの変換出力、ＢＵＰ作成といった出力を繰り返し、ＶＭＧのＩＦＯ、ＢＵＰを出力し、ＵＤＦ−ＢｒｉｄｇｅとＡＮＣＨＯＲを作成して、一連の変換出力が完了する。
【００４１】
変換ＶＯＢＵの抽出処理について、図２及び図３を用いて詳細に説明する。ＶＯＢＵは、変換ターゲットのＰＧＣ＃３及び＃５から参照される。第１実施形態の場合、ＶＲ規格のＰＧＣ＃３が、Ｖ規格のＶＴＳ＃１＝ＴＴ＃１＝ＰＧＣ＃１に相当し、ＰＧＣ＃５がＶＴＳ＃２＝ＴＴ＃２＝ＰＧＣ＃１に相当する。
【００４２】
なおここで、ＴＴとは、Ｔｉｔｌｅの略であり、Ｖ規格の一つのコンテンツの記述単位であって、本実施形態では、ＶＴＳと一致するものである。
【００４３】
第２実施形態の場合、ＶＲ規格のＰＧＣ＃３、＃５がＶＴＳ＃１＝ＴＴ＃１＝ＰＧＣ＃１，＃２に相当する。実施形態に沿った形で変換するためには、使用ＶＯＢＵの抽出処理にて、変換テーブル内の配列に以下のように参照先ポインタが格納される。変換テーブルから得られる情報をＶ規格のＶＴＳＩに格納すべき情報として解釈すれば、ＶＲ規格上のＰＧＣをＶ規格上のＰＧＣとして変換することができる。
【００４４】
なお、重複参照（再生）されるＶＯＢＵの記録順序を変換前の記録順序と同じにすることで、変換後のシームレス再生を保証することができる。
【００４５】
更に詳細に説明すると、第１実施形態において、これは、同一ＶＯＢＵを複数回出力する方式であり、
変換テーブル内ＶＯＢＵ配列は、
・ＰＧＣ＃３＝ＶＴＳ＃１（内のＰＧＣ＃１）変換中につき、
ＶＯＢＵ［０］＝ＶＯＢＵ＃１，ＶＯＢＵ［１］＝ＶＯＢＵ＃２，…，ＶＯＢＵ［１０］＝ＶＯＢＵ＃１１，ＶＯＢＵ［１１］＝ＶＯＢＵ＃１５，…，ＶＯＢＵ［１９］＝ＶＯＢＵ＃２３となる。ここでは、部分的に、反復されるＶＯＢＵが存在する。
【００４６】
・ＰＧＣ＃５＝ＶＴＳ＃２（内のＰＧＣ＃１）変換中につき、
ＶＯＢＵ［０］＝ＶＯＢＵ＃８，ＶＯＢＵ［１］＝ＶＯＢＵ＃９，…，ＶＯＢＵ［１１］＝ＶＯＢＵ＃１９，ＶＯＢＵ［１２］＝ＶＯＢＵ＃３４，…，ＶＯＢＵ［２０］＝ＶＯＢＵ＃４１，ＶＯＢＵ［２１］＝ＶＯＢＵ＃２８，…，ＶＯＢＵ［２９］＝ＶＯＢＵ＃３６となる。ここでも、反復されるＶＯＢＵが存在する。
【００４７】
又、変換テーブル内ＣＥＬＬ配列は、
・ＰＧＣ＃３＝ＶＴＳ＃１（内のＰＧＣ＃１）変換中につき、
ＣＥＬＬ［０］（ＳＴＡＲＴ，ＥＮＤ）＝（０（＝ＶＯＢＵ［０］），１０），ＣＥＬＬ［１］＝（１１，１９）で表され、
・ＰＧＣ＃５＝ＶＴＳ＃２（内のＰＧＣ＃１）変換中につき、
ＣＥＬＬ［０］（ＳＴＡＲＴ，ＥＮＤ）＝（０（＝ＶＯＢＵ［０］），１１），ＣＥＬＬ［１］＝（１２，２０）で表される。
【００４８】
又、変換テーブル内ＰＧＣ配列は、
・ＰＧＣ＃３＝ＶＴＳ＃１（内のＰＧＣ＃１）変換中につき、
ＰＧＣ［０］（ＳＴＡＲＴ，ＥＮＤ）＝（０（＝ＣＥＬＬ［０］），１）で表され、
・ＰＧＣ＃５＝ＶＴＳ＃１（内のＰＧＣ＃１）変換中につき、
ＰＧＣ［０］（ＳＴＡＲＴ，ＥＮＤ）＝（０（＝ＣＥＬＬ［０］），１）で表される。
【００４９】
更に第２実施形態において詳細に説明すると、これは、同一ＶＯＢＵは１度だけ出力する方式であり、
変換テーブル内ＶＯＢＵ配列は、
・ＰＧＣ＃３，５＝ＶＴＳ＃１（内のＰＧＣ＃１）変換中につき、
ＶＯＢＵ［０］＝ＶＯＢＵ＃１，ＶＯＢＵ［１］＝ＶＯＢＵ＃２，…，ＶＯＢＵ［２２］＝ＶＯＢＵ＃２３，ＶＯＢＵ［２３］＝ＶＯＢＵ＃２８，…，ＶＯＢＵ［３６］＝ＶＯＢＵ＃４１として、反復されることはなく、
変換テーブル内ＣＥＬＬ配列は、
・ＰＧＣ＃３，５＝ＶＴＳ＃１（内のＰＧＣ＃１）変換中につき、
ＣＥＬＬ［０］（ＳＴＡＲＴ，ＥＮＤ）＝（０（＝ＶＯＢＵ［０］），６），ＣＥＬＬ［１］＝（７，１０），
ＣＥＬＬ［２］＝（１４，１８），ＣＥＬＬ［３］＝（１９，２２），
ＣＥＬＬ［４］＝（７，１０），ＣＥＬＬ［５］＝（１１，１３），ＣＥＬＬ［６］＝（１４，１８），
ＣＥＬＬ［７］＝（２９，３１），ＣＥＬＬ［８］＝（３２，３６），
ＣＥＬＬ［９］＝（２３，２８），ＣＥＬＬ［１０］＝（２９，３１）となり、
更に、変換テーブル内ＰＧＣ配列は、
・ＰＧＣ＃３，５＝ＶＴＳ＃１（内のＰＧＣ＃１，２）変換中につき、
ＰＧＣ［０］（ＳＴＡＲＴ，ＥＮＤ）＝（０（＝ＣＥＬＬ［０］），３），ＰＧＣ［１］＝（４，１０）として、反復されることはない。
【００５０】
以上、詳細に説明したように、第１実施形態はＶＯＢＵを共有化することなく、そして第２実施形態はＶＯＢＵを共有化しながら、再生プログラム情報を単位として映像を指定し変換を行うことにより、ＶＲ規格の映像信号をＶ規格の映像信号へと、変換処理しこれを出力するものである。
【００５１】
＜その他の実施形態＞
又、その他の本発明に係る実施形態として、変換ターゲットをＰＧＣ（又はＰｌａｙｌｉｓｔ）に限らずに、ＣＥＬＬ等の詳細な管理データをターゲットにする場合の映像信号変換処理を提供するものである。
【００５２】
すなわち、変換ターゲットがＰｌａｙＬｉｓｔではなくＣＥＬＬ等の詳細な管理データの場合、またはＶＲ規格上の管理データではない場合について説明する。考え方としては、第１及び第２の実施形態と同様である。つまり、変換ターゲットがＣＥＬＬであっても、ユーザインタフェース上のテンポラリ情報であっても、Ｖ規格上のＰＧＣに該当する情報を抽出し、ＶＴＳＩ内のＰＧＣ情報としてデータを出力する。このとき、第２実施形態のようにＶＯＢＵを共有化する場合は、共有すべきＶＯＢ範囲の抽出が変換処理の一部として組みこまれる。いずれの方法で変換処理した場合でも、ＶＴＳへの変換テーブルを作成し、Ｖ規格に沿ってＶＴＳのＩＦＯの作成、ＶＯＢの変換出力、ＢＵＰ作成といった出力を繰り返し、ＶＭＧのＩＦＯ、ＢＵＰを出力し、ＵＤＦ−ＢｒｉｄｇｅとＡＮＣＨＯＲを作成して、一連の変換処理が完了する。
【００５３】
【発明の効果】
以上詳細に説明したように、本発明に係る映像信号変換方法によれば、ＶＲ規格で記録したデータは、編集操作によりユーザの意図した再生プログラミングを行うことができる。このようなＶＲ規格のＰＧＣをＶ規格のＰＧＣと解釈し変換を行うことにより、ユーザにとって分かりやすい変換方法を提供することができる。すなわち、再生プログラムを変換単位とすることで、ユーザにとって規格の差異を感じさせずに変換することが可能となるものである。
【００５４】
この変換方法は、ＶＲ規格上のＰＧＣ内の情報からＶＯＢ中の必要な部分（アドレス、サイズ）を割り出し、変換コピーを行うことで、変換に要する膨大な計算や、システム上必要となるメモリを削減することができる。変換元ＰＧＣがＶＯＢ内の同一シーンを複数回参照する場合は、重複部分を複数回出力することで、物理的ストリームデータ（ＶＯＢ）と論理的再生管理情報（ＰＧＣ）との整合性を保つことができる。
【００５５】
又、共通して使用するＶＯＢＵを共有化することで、共通ＶＯＢＵの記録回数が１回で済ませることができるため、ディスクスペースを有効活用することが可能になる。
【図面の簡単な説明】
【図１】本発明に係る映像信号変換方法が実施される編集装置システムの一例を示すブロック図。
【図２】本発明に係る映像信号変換方法の第１の実施形態を示す説明図。
【図３】本発明に係る映像信号変換方法の第２の実施形態を示す説明図。
【図４】本発明に係る映像信号変換方法の手順を説明するためのフローチャート。
【符号の説明】
１１…ＤＶＤ−ＲＡＭドライブ又はＨＤＤドライブ、１２…システム本体、
１３…モニタ、１４…変換ソフトウエア、１５…インタフェース
１６…デバイスドライブ、１７…ＤＶＤ−Ｒドライブ
【図１】
0003590372.tif 000002
【図２】
0003590372.tif 000003
【図３】
0003590372.tif 000004
【図４】
0003590372.tif 000005